(57)【要約】      （修正有）【課題】エゴグラムによる性格診断の精度をさらに高めるとともに、マイナス要素の改善法を容易に知ることができる性格診断早見表冊子を提供する。【解決手段】エゴグラムによって得られた被験者の複数の診断指標の診断数値と、対象者の性格の良いところと、気をつけるところとを示す文字列が記載されたシート３を備えた性格診断早見表冊子である。シート３の第１の欄１１には、複数の診断指標のうち、診断数値が最も高い第１の診断指標と次に高い第２の診断指標との複数の組み合わせパターンの各々について、単数又は複数の被験者の良いところ１１３と、単数又は複数の気をつけるところ１１５とを示す文字列１１３１が対応付けられた位置に記載されている。【選択図】図１
0003220569.tif 000002
【実用新案登録請求の範囲】
【請求項１】
被験者から得た複数の質問に対しての回答情報と予め決められたルール情報とを基に得られた前記被験者の性格の特徴を示す複数の診断指標の診断数値と、前記対象者の性格の良いところと、気をつけるところとを示す文字列が記載されたシートを備えた性格診断早見表冊子であって、
前記複数の診断指標のうち、前記診断数値が最も高い第１の診断指標と次に高い第２の診断指標との複数の組み合わせパターンの各々について、単数又は複数の前記被験者の前記良いところと、単数又は複数の前記被験者の前記気をつけるところとを示す文字列がそれぞれ対応付けられた位置に記載されている第１の欄を備えた前記シートを有する
性格診断早見表冊子。
【請求項２】
前記第１の欄に記載された前記気をつけるところを示す文字列の各々について、その単数又は複数の改善法を示す識別情報あるいは文字列が対応付けられた位置に記載されている第２の欄を備えたシート
をさらに有する請求項１に記載の性格診断早見表冊子。
【請求項３】
前記複数の組み合わせパターンは、
前記第１の診断指標及び前記第２の診断指標との双方が所定の基準値を超える場合と、前記第１の診断指標のみが前記基準値が超える場合とが、異なる前記組み合わせパターンとして規定されている
請求項１又は請求項２に記載の性格診断早見表冊子。
【請求項４】
前記第１の欄が備えたシートと、前記第２の欄を備えたシートとは異なるシートである
請求項１〜３のいずれかに記載の性格診断早見表冊子。
【考案の詳細な説明】
【技術分野】
【０００１】
本考案は、肯定又は否定で回答する質問を複数個用意し、被験者が回答した結果に基づいて性格を診断するために用いられる性格診断早見表冊子に関する。
【背景技術】
【０００２】
プレイベート及びビジネス、いずれにおいても、人との付き合い方は大事であり、そのために有用な情報を提供する性格診断法として、エゴグラム(Egogram)が知られている。
エゴグラムは、予め決められた複数の質問に対しての被験者が回答し、その回答情報を基に、当該被験者の心を５つの診断指標（自我状態）ＣＰ,ＮＰ，Ａ，ＦＣ，ＡＣに分類し、その診断指標が放出する心的エネルギーの高さ（診断数値）をグラフにしたものである。
エゴグラムでは、上記グラフ全体の形から、被験者の性格を判断し、医学、臨床心理などの診療関係に活用するものである。
【考案の開示】
【考案が解決しようとする課題】
【０００３】
ところで、エグラムによる性格診断の精度をさらに高めたいという要請がある。
また、性格診断を行った被験者の性格のなかで、マイナスの要素についての改善法を知ることができれば性格改善に便利である。
【０００４】
上述した従来技術の問題点を解決し、上述した目的を達成するため、エグラムによる性格診断の精度をさらに高めることができる性格診断早見表冊子を提供することを目的とする。
また、本考案は、性格診断を行った被験者の性格のなかで、マイナスの要素についての改善法を容易に知ることができる性格診断早見表冊子を提供することを目的とする。
【課題を解決するための手段】
【０００５】
上述した目的を達成するために、本考案の性格診断早見表冊子は、被験者から得た複数の質問に対しての回答情報と予め決められたルール情報とを基に得られた前記被験者の性格の特徴を示す複数の診断指標の診断数値と、前記対象者の性格の良いところと、気をつけるところとを示す文字列が記載されたシートを備えた性格診断早見表冊子であって、  前記複数の診断指標のうち、前記診断数値が最も高い第１の診断指標と次に高い第２の診断指標との複数の組み合わせパターンの各々について、単数又は複数の前記被験者の前記良いところと、単数又は複数の前記被験者の前記気をつけるところとを示す文字列がそれぞれ対応付けられた位置に記載されている第１の欄を備えた前記シートを有する。
【０００６】
好適には、前記第１の欄に記載された前記気をつけるところを示す文字列の各々について、その単数又は複数の改善法を示す識別情報あるいは文字列が対応付けられた位置に記載されている第２の欄を備えたシートをさらに有する。
【０００７】
好適には、前記複数の組み合わせパターンは、前記第１の診断指標及び前記第２の診断指標との双方が所定の基準値を超える場合と、前記第１の診断指標のみが前記基準値が超える場合とが、異なる前記組み合わせパターンとして規定されている。
【０００８】
好適には、前記第１の欄が備えたシートと、前記第２の欄を備えたシートとは異なるシートである。
【考案の効果】
【０００９】
本考案によれば、エグラムによる性格診断の精度をさらに高めることができる性格診断早見表冊子を提供することができる。
また、本考案によれば、性格診断を行った被験者の性格のなかで、マイナスの要素についての改善法を容易に知ることができる。
【図面の簡単な説明】
【００１０】
【図１】図１は、本実施形態に係わる性格診断早見表冊子１の第１のシートを説明するための図である。
【図２】図２は、図１に示す第１の欄の第２の識別表記と、良いところの記載、気をつけるところの記載を対応付けて示す表を備えたシートを説明するたえの図である。
【図３】図３は、本考案の実施形態に係わる性格診断早見表冊子１のシートの第１の欄の気をつけるところに記載された第２の識別表記の各々について、その改善法を示す第３の識別表記が対応付けて記載した第２の欄を備えた第２のシート７を説明するための図である。
【図４】図４は、図３に示す第３の識別表記に対応する改善法の内容をそれぞれ記載した表を備えたシート９を説明するための図である。
【図５】図５は、本考案の性格診断早見表冊子を用いた性格診断方法のフローチャートである。
【考案を実施するための最良の形態】
【００１１】
以下、本考案の実施形態に係る性格診断早見表冊子を、図面を参照しながら説明する。
図１は、本実施形態に係わる性格診断早見表冊子１の第１のシート３を説明するための図である。
図２は、図１に示す第１の欄１１の第２の識別表記１１３５と、良いところの記載、気をつけるところの記載を対応付けて示す表を備えたシート５を説明するための図である。
【００１２】
図３は、本考案の実施形態に係わる性格診断早見表冊子１のシートの第１の欄１１の欄１１５に記載された第２の識別表記１１３５（気をつけるところ）の各々について、その改善法を示す第３の識別表記１２０１が対応付けて記載した第２の欄２１を備えた第２のシート７を説明するための図である。
図４は、図３に示す第３の識別表記１２０１に対応する改善法の内容をそれぞれ記載した表を備えたシート９を説明するための図である。
【００１３】
性格診断早見表冊子１は、上述した図１に示す第１のシート３、図２に示すシート５、図３に示す第２のシート７及び図４に示すシート９を含む複数のシートから構成されている。
【００１４】
本実施形態の性格診断早見表冊子１では、ビジネスシーンにおいてエゴグラムの診断指標毎に仕事で生じる性格の長所・短所の特徴、並びに改善法を示しているが、本考案はビジネス以外のシーンに適用できるようにしてもよい。
【００１５】
性格診断早見表冊子１で採用する診断指標としては、エゴグラムと同様に、診断指標ＣＰ,ＮＰ，Ａ，ＦＣ，ＡＣの５種類がある。
診断指標ＣＰは、Critical Parentの略であり、批判的な親の心という性格の特徴を示す。
診断指標ＮＰは、Nurturing Parentの略であり、養育的な親の心という性格の特徴を示す。
診断指標Ａは、Adultの略であり、大人の心という性格の特徴を示す。
診断指標ＦＣは、Free Childの略であり、自由な子供の心という性格の特徴を示す。
診断指標ＡＣは、Adapted Child の略であり、順応的な子供の心という性格の特徴を示す。
【００１６】
性格診断早見表冊子１は、一般的なエゴグラム分析とは異なり、１番エネルギー（診断数値）が高い診断指標（特性）を柱として、その他の診断指標との組み合わせパターン（主に２つの組み合わせ）のそれぞれについて、強められる特徴と打ち消される特徴を診断し、総合した分析により作成されている。
【００１７】
性格診断早見表冊子１は、考案者が、多数の被験者の診断結果から得られた被験者の良いところ、気をつけるところ、その改善方法とが、上記組み合わせパターンと強い相関関係があることを見出し、それを基に作成されている。
【００１８】
以下、性格診断早見表冊子１で用いる診断数値が最も高い第１の診断指標と次に高い第２の診断指標との複数の組み合わせパターンについて説明する。
第１の診断指標がＣＰの高得点の組み合わせパターンには、ＣＰの診断数値が最高値且つ基準値を以上であり、２番目に高い診断数値（第２の診断指標）がそれぞれＮＰ，Ａ，ＦＣ，ＡＣであり且つ基準値以上である（ＣＰ，ＮＰ）Ｈ、（ＣＰ，Ａ）Ｈ，（ＣＰ，ＦＣ）Ｈ，（ＣＰ，ＡＣ）Ｈがある。
【００１９】
第１の診断指標がＣＰの組み合わせパターンには、ＣＰの診断数値が最高値且つ基準値を以上であり、２番目に高い診断数値（第２の診断指標）がそれぞれＮＰ，Ａ，ＦＣ，ＡＣであり且つ基準値未満である（ＣＰ，ＮＰ）Ｌ、（ＣＰ，Ａ）Ｌ，（ＣＰ，ＦＣ）Ｌ，（ＣＰ，ＡＣ）Ｌがある。
【００２０】
また、第１の診断指標がＮＰ，Ａ，ＦＣ，ＡＣの場合の各々についても、上述した第１の診断指標がＣＰの場合と同様の考え方で、複数の組み合わせアパターンが規定されている。
【００２１】
上述した組み合わせパターンは、例えば、ビジネス用であり、ビジネス用以外では、例えば、以下のように、低得点の組み合わせパターンや、所定の基準値（例えば１０）同士の組み合わせパターンを規定してもよい。
低得点の組み合わせパターンには、診断数値が基準値未満である最低値及び最低値から２つ目の診断指標の組み合わせパターンである。
また、基準値同士の組み合わせパターンは、２つの診断指標が共に基準値である組み合わせパターンである。
【００２２】
性格診断早見表冊子１は、複数のシートからなり、１つのシートに単数又は複数の上記組み合わせパターンの第１の欄１１が記載されている。
本実施形態では、例えば、一つのシートに、上下２段で２つの組み合わせパターンの第１の欄１１が記載（印刷）されている。
【００２３】
図１に示す第１の欄１１は、ＣＰの診断数値が最高値且つ基準値を超え、２番目に高い診断数値がＮＰであり且つ基準値を超えるパターン（ＣＰ，ＮＰ）Ｈの場合の第１の欄である。
図１に示すように、第１の欄１１は、グラフ１１１と、パターン（ＣＰ，ＮＰ）Ｈの被験者の良いところを示す欄１１３と、当該被験者の気をつけるところを示す欄１１５とを有する。
また、欄１１３内には、被験者のよいところを記載した文字列１１３１が記載されている。
【００２４】
欄１１３内の文字列１１３１の右側には、それに対応した診断指標の文字を当該診断指標に割り当てられた色のボックスで囲んだ第１の識別表記１１３３が記載され、さらに、その右側には、文字列１１３１に割り当てれた識別文字を当該識別文字に割り当てられた色のボックスで囲んだ第２の識別表記１１３５が記載されている。このような色のボックスを用いることで、各文字列の内容を視覚的に把握できる。
第２の識別表記１１３５のボックスの色には、例えば、８色ある。当該ボックスの色は、第２の識別表記１１３５に対応する文字列１１３１が示す内容に関連性が深い色を色彩深層心理学に基づいて選択して決定されている。
【００２５】
図１に示すように、被験者の気をつけるところを示す欄１１５は、欄１１３の右側に位置している。欄１１５は、被験者の気をつけるところに関する情報が記載されている点を除いて、欄１１３と同じ構成をしている。
【００２６】
その他の組み合わせパターンの第１の欄１１は、図１に示す組み合わせパターンと同様に構成さている。
【００２７】
また、図１に示す第１の欄１１の第２の識別表記１１３５と、良いところの記載、気をつけるところの記載を対応付けて示す表が図２に示すようにシート５に記載されている。
なお、図２に示すシート５は、一部を抜粋して記載している。
【００２８】
図３は、本考案の実施形態に係わる性格診断早見表冊子１のシートの第１の欄１１に記載された第２の識別表記１１３５（気をつけるところ）の各々について、その改善法を示す第３の識別表記１２０１が対応付けて記載した第２の欄２１を備えた第２のシート７を説明するための図である。
あお、第３の識別表記１２０１の代わりに、改善方法を示す文字列が記載されていてもよい。
【００２９】
図３に示すように、第２のシート７の第２の欄２１は、第１の欄１１に記載された第２の識別表記１１３５（気をつけるところ）の各々について、その改善法を示す単数又は複数の第３の識別表記１２０１が対応付けて記載されている。
なお、図３に示す第２のシート７は、一部を抜粋して記載している。
【００３０】
また、図４に示すように、シート９には、図３に示す第３の識別表記１２０１に対応する改善法の内容が記載されている。具体的には、図４に示す表には、全ての第３の識別表記１２０１の各々の右側の列に、それに対応した改善法を示す文字列が記載されている。
なお、図４に示すシート９は、一部を抜粋して記載している。
【００３１】
以下、図１〜図４に示す欄を有する性格診断早見表冊子１を用いて被験者の性格診断をする方法を説明する。
図５は、当該方法のステップを示すフローチャートである。
【００３２】
ステップＳＴ１：
所定の性格適性検査に応じた複数の質問に対しての被験者が回答し、その回答情報を得る。
当該性格適性検査は、エゴグラムである。例えば、全部で５０問あり、各設問とも「はい」「どちらともつかない」「いいえ」のように回答する。そして、１問目から順に飛ばさないように、必ず全問回答していく。
【００３３】
ステップＳＴ２：
ステップＳＴ１の回答情報を基に、予め決められたルール情報（エゴグラム）に基づいて、当該被験者の診断指標ＣＰ,ＮＰ，Ａ，ＦＣ，ＡＣのそれぞれについて診断数値を得る。
【００３４】
ステップＳＴ３：
ステップＳＴ２で得た診断数値を基に、組み合わせパターンを特定する。
【００３５】
ステップＳＴ４：
ステップＳＴ３で特定した組み合わせパターンに対応した第１の欄１１を参照して、当該被験者の良いところと、気をつけるところを把握する。
【００３６】
ステップＳＴ５：
ステップＳＴ３で特定した組み合わせパターンに対応した図１に示す第１の欄１１を参照して、第１の欄１１の当該被験者の気をつけるところが記載された欄１１５内の第２の識別表記１１３５を特定する。
そして、図３に示す第２の欄２１を参照し、上記特定した第２の識別表記１１３５に対応するその改善法を示す単数又は複数の第３の識別表記１２０１を特定する。
次に、図４に示す表を参照して、上記特定した第３の識別表記１２０１に対応した改善法の内容を特定する。
そして、当該改善方法の内容を基に、ビジネスシーン等で円滑なコミュニケーションを実現できる。
【００３７】
以上説明したように、性格診断早見表冊子１によれば、エグラムによる性格診断の精度をさらに高めることができる。
また、性格診断早見表冊子１によれば、性格診断を行った被験者の性格のなかで、マイナスの要素についての改善法を容易に知ることができる。
すなわち、性格診断早見表冊子１は、多数の被験者の診断結果から得られた被験者の良いところ、気をつけるところ、その改善方法とが、上記組み合わせパターンと強い相関関係があることを考案者が見出し、それを基に作成されていることから、上述した効果が得られる。
【００３８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した図１〜図４に示すシートは、一例であり、請求項の考案の範囲において変更可能である。
【産業上の利用可能性】
【００３９】
本考案は、例えば、性格診断に用いられる性格診断早見表冊子に適用可能である。
【符号の説明】
【００４０】
１…性格診断早見表冊子
３…第１のシート
５…シート
７…第２のシート
９…シート
１１…第１の欄
１１１…グラフ
１１３…欄
１１３１…文字列
１１３３…第１の識別表記
１１３５…第２の識別表記
１１５…欄
２１…第２の欄
１２０１…第３の識別表記
【図１】
0003220569.tif 000003
【図２】
0003220569.tif 000004
【図３】
0003220569.tif 000005
【図４】
0003220569.tif 000006
【図５】
0003220569.tif 000007
【手続補正書】
【提出日】平成30年12月7日(2018.12.7)
【手続補正１】
【補正対象書類名】実用新案登録請求の範囲
【補正対象項目名】全文
【補正方法】変更
【補正の内容】
【実用新案登録請求の範囲】
【請求項１】
被験者から得た複数の質問に対しての回答情報と予め決められたルール情報とを基に得られた前記被験者の性格の特徴を示す複数の診断指標の診断数値と、対象者の性格の良いところと、気をつけるところとを示す文字列が記載されたシートを備えた性格診断早見表冊子であって、
前記複数の診断指標のうち、前記診断数値が最も高い第１の診断指標と次に高い第２の診断指標との複数の組み合わせパターンの各々について、単数又は複数の前記被験者の前記良いところと、単数又は複数の前記被験者の前記気をつけるところとを示す文字列がそれぞれ対応付けられた位置に記載されている第１の欄を備えた前記シートを有する
性格診断早見表冊子。
【請求項２】
前記第１の欄に記載された前記気をつけるところを示す文字列の各々について、その単数又は複数の改善法を示す識別情報あるいは文字列が対応付けられた位置に記載されている第２の欄を備えたシート
をさらに有する請求項１に記載の性格診断早見表冊子。
【請求項３】
前記複数の組み合わせパターンは、
前記第１の診断指標及び前記第２の診断指標との双方が所定の基準値を超える場合と、前記第１の診断指標のみが前記基準値が超える場合とが、異なる前記組み合わせパターンとして規定されている
請求項１又は請求項２に記載の性格診断早見表冊子。
【請求項４】
前記第１の欄が備えたシートと、前記第２の欄を備えたシートとは異なるシートである
請求項２又は請求項３に記載の性格診断早見表冊子。
【手続補正２】
【補正対象書類名】明細書
【補正対象項目名】０００５
【補正方法】変更
【補正の内容】
【０００５】
上述した目的を達成するために、本考案の性格診断早見表冊子は、被験者から得た複数の質問に対しての回答情報と予め決められたルール情報とを基に得られた前記被験者の性格の特徴を示す複数の診断指標の診断数値と、対象者の性格の良いところと、気をつけるところとを示す文字列が記載されたシートを備えた性格診断早見表冊子であって、前記複数の診断指標のうち、前記診断数値が最も高い第１の診断指標と次に高い第２の診断指標との複数の組み合わせパターンの各々について、単数又は複数の前記被験者の前記良いところと、単数又は複数の前記被験者の前記気をつけるところとを示す文字列がそれぞれ対応付けられた位置に記載されている第１の欄を備えた前記シートを有する。
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
被験者から得た複数の質問に対しての回答情報と予め決められたルール情報とを基に得られた前記被験者の性格の特徴を示す複数の診断指標の診断数値と、対象者の性格の良いところと、気をつけるところとを示す文字列が記載されたシートを備えた性格診断早見表冊子であって、
前記複数の診断指標のうち、前記診断数値が最も高い第１の診断指標と次に高い第２の診断指標との複数の組み合わせパターンの各々について、単数又は複数の前記被験者の前記良いところと、単数又は複数の前記被験者の前記気をつけるところとを示す文字列がそれぞれ対応付けられた位置に記載されている第１の欄を備えた前記シートを有する
性格診断早見表冊子。
【請求項２】
前記第１の欄に記載された前記気をつけるところを示す文字列の各々について、その単数又は複数の改善法を示す識別情報あるいは文字列が対応付けられた位置に記載されている第２の欄を備えたシート
をさらに有する請求項１に記載の性格診断早見表冊子。
【請求項３】
前記複数の組み合わせパターンは、
前記第１の診断指標及び前記第２の診断指標との双方が所定の基準値を超える場合と、前記第１の診断指標のみが前記基準値が超える場合とが、異なる前記組み合わせパターンとして規定されている
請求項１又は請求項２に記載の性格診断早見表冊子。
【請求項４】
前記第１の欄が備えたシートと、前記第２の欄を備えたシートとは異なるシートである
請求項２に記載の性格診断早見表冊子。